(57)【要約】【課題】  タオル掛けの機能を有し、操作性が良く、さらには意匠面に特徴を有する引出しまたは扉用の把手構造、その把手構造を用いた引出しや収納ケースを提供する。【解決手段】  引出しの前板または家具が有する開閉式の扉に、把手を構成するための引出しまたは扉用の把手構造であって、引出しの前板２０（または家具の扉）の引出し方向側において、前板２０の横幅方向に端から端まで延びてなる把手部１と、把手部１の両端から前板２０側に延び、前板２０と把手部１との間に、該把手部１を把持するのに必要な隙間を形成する連結部３と、連結部３の先端部分から方向転換して前板２０の側端に沿って延び、該側端を覆うようにして該側端に形成されるサイドエッジ部２とを一体的に備えることを特徴とする。【選択図】  図１
2005319131.tif 000002
【特許請求の範囲】
【請求項１】
引出しの前板または家具が有する開閉式の扉に、把手を構成するための引出しまたは扉用の把手構造であって、
前記前板または前記扉の横幅方向に端から端まで延びてなる把手部と、
前記把手部の両端から前記前板または前記扉側に延び、前記前板または前記扉と前記把手部との間に、該把手部を把持するのに必要な隙間を形成する連結部と、
前記連結部の先端部分から方向転換して前記前板または前記扉の側端に沿って延び、該側端を覆うようにして形成されるサイドエッジ部とが一体的な形態をなすことを特徴とする引出しまたは扉用の把手構造。
【請求項２】
前記把手部の両端と、前記サイドエッジ部と前記連結部とが一体的に形成されてなるサイドパーツとが組み付けられることによって、両者が一体的な形態をなしている請求項１に記載の引出しまたは扉用の把手構造。
【請求項３】
前記把手部の両端は、アール部を介して直角に曲げられて、前記前板または前記扉側に延びている請求項１または２に記載の引出しまたは扉用の把手構造。
【請求項４】
前記把手部、前記連結部、および前記サイドエッジ部の露出部分が、同一材料からなる請求項１ないし３のいずれか１項に記載の引出しまたは扉用の把手構造。
【請求項５】
前記連結部が、前記サイドエッジ部の上側端部と連続的につながっている請求項１ないし４のいずれか１項に記載の引出しまたは扉用の把手構造。
【請求項６】
前記把手部は、床面に対して平行で、かつ前記前板または前記扉の上端縁に沿って該上端縁と平行に延びるものである請求項１ないし５のいずれか１項に記載の引出しまたは扉用の把手構造。
【請求項７】
請求項１ないし６のいずれか１項に記載された引出しまたは扉用の把手構造が固定された前記前板と、物を収納する引出し本体とを備えることを特徴とする引出し。
【請求項８】
請求項７に記載された引出しと、該引出しを出し入れ可能に収納する収納部とを備えることを特徴とする収納ケース。
【請求項９】
請求項１ないし６のいずれか１項に記載された引出しまたは扉用の把手構造が固定される扉と、物を収納する収納スペースを構成し、前記扉によって外部と仕切られる収納部とを備える収納ケース。
【請求項１０】
複数の前記収納部が横方向に連続して備えられることで、これらの収納部に収納される前記引出しまたは前記扉の前記把手部が、一直線上に並んで配置される請求項８または９に記載の収納ケース。
【請求項１１】
前記収納部の側面を構成する側面板と、上面を構成する天板と、前記引出しまたは扉用の把手構造とが、同一材料からなる請求項８ないし１０のいずれか１項に記載の収納ケース。
【発明の詳細な説明】
【技術分野】
【０００１】
本発明は、引出しの把手の構造、並びにその把手を利用した引出しおよび収納ケースに関する。
【背景技術】
【０００２】
引出しの前板や開き戸等の扉板に取り付けられる把手は、一般的に、手を挿入できる隙間を有しつつ、扉面から手前側に突出した構造を有する。このような構造であれば、引出しや開き戸の開閉機能を十分満足することができるため、通常、こうした構造の把手部分を予め製作しておき、これを様々な形状の引出しや開き戸に組み付けている。なお、このような突出タイプの把手は、タオル掛けとしても利用することができる。
【０００３】
また、近年では、引出しや開き戸の意匠性が重視されるようになり、このような把手に対しても様々な要求がなされるようになってきている。例えば、扉内に把手を埋没させて設けるような特許文献１に記載の埋没式把手等がある。この埋没式把手は、把手が引出しや開き戸の外観を損ねる要因とならないよう意匠面の配慮がなされた把手であり、この場合、把手が外部に露出して表れないので扉面をフラットに見せることができる。
【０００４】
【特許文献１】特開平７−２６８０１号公報
【発明の開示】
【発明が解決しようとする課題】
【０００５】
ところが、従来の把手は次のような問題点があった。扉面から突出するように備えられるタイプの把手は、その構造が限定されており、意匠性の追及には限界があった。また、特許文献１のように、外部に露出させないタイプの把手では、突出タイプの把手が備えていたタオルかけの機能を失っており、機能面において突出タイプの把手よりも劣っていた。
【０００６】
本発明は、上記課題に鑑みてなされたものであり、タオル掛けの機能を有し、操作性が良く、さらには意匠面に特徴を有する引出しまたは扉用の把手構造、その把手構造を用いた引出しや収納ケースを提供することを目的とする。
【課題を解決するための手段および発明の効果】
【０００７】
上記課題を解決するために、本発明の引出しまたは扉用の把手構造は、引出しの前板または家具が有する開閉式の扉に、把手を構成するための引出しまたは扉用の把手構造であって、前板または扉の横幅方向に端から端まで延びてなる把手部と、把手部の両端から前板または扉側に延び、前板または扉と把手部との間に、該把手部を把持するのに必要な隙間を形成する連結部と、連結部の先端部分から方向転換して前板または扉の側端に沿って延び、該側端を覆うようにして形成されるサイドエッジ部とが一体的な形態をなすことを特徴とする。
【０００８】
この引出しまたは扉用の把手構造（以下、単に把手構造とも言う）によれば、把手部は、引出しの前板や家具の扉の横方向に端から端まで形成される。この場合、前板または扉の横方向には、どの部分にも把手部があるため、どこに手を掛けてもそれらの開閉動作をすることができ、操作性に優れる。例えば、本把手構造を有する引出しがあり、そこから少し離れた場所で作業をしている作業者がその引出しを開けようとした場合、作業者は、その立ち位置から引出しの把手部の端部に手が届きさえすれば、特に移動しなくても引出しを開けることができる。従って、作業者の作業動線を短くし、作業の効率化を図ることができる。また、把手部が前板や扉の横幅方向に長く形成されていることで、十分なタオル掛け用のスペースを確保することができる。さらに意匠面に関して言えば、引出しの前板を正面から見たときに、把手部が前板にデザインされた横ラインとして認識されるような形状となっており、従来のように把手部が把手部として認識されるような把手構造とは異なる。
【０００９】
また、サイドエッジ部が引出しの前板や家具の扉の側面を覆うように備えられているため、本発明の把手構造を前板や扉に組み付ける場合には、サイドエッジ部と前板または扉の側面とを連結させることが有効である。従って、サイドエッジ部が、前板または扉と連結するための連結部を備えていても良い。従来の把手は、引出しの前板または家具等の扉の前面にネジ等で組み付けられている場合が多く、この場合、ネジの一部が引出しの収納スペース側に残り、収納物にダメージを与える可能性があった。ところが本発明の把手構造の場合は、サイドエッジ部と前板または扉の側面とを結合させるため、前板や扉の横幅方向にネジをねじ込むことができる。このため、収納スペースにネジの一部が残るようなことは無く、収納物にダメージを与えることは無い。
【００１０】
また、本発明の引出しまたは扉用の把手構造では、把手部の両端と、サイドエッジ部と連結部とが一体的に形成されてなるサイドパーツとが組み付けられることによって、両者が一体的な形態をなしているものであっても良い。本発明の把手構造は、把手部、連結部、およびサイドエッジ部が連続的につながった一体構造をなしていることで、全体が統一感を有するデザイン性を得ることができるが、必ずしもそのような一体構造をなしている必要は無く、外観上、少なくとも一体的な形態をなしているように見えてさえいれば、上記デザイン性を得ることができる。また、この場合、予め形成しておいたサイドパーツと把手部とを組み付けることによって比較的容易に本把手構造を形成することができる利点もある。
【００１１】
また、本発明の引出しまたは扉用の把手構造では、把手部の両端は、アール部を介して直角に曲げられて、前板または扉側に延びているものであっても良い。これにより、把手構造全体に対して、角の少ない滑らかな印象を与えることができる。また、直角をなすように曲げられていることで、把手部の横幅方向の長さを長く取ることが可能であり、従って上記で述べた引出し開閉時の操作性とタオル掛けの機能とを向上させることができる。
【００１２】
また、本発明の引出しまたは扉用の把手構造では、把手部、連結部、およびサイドエッジ部の露出部分が、同一材料からなるものであっても良い。これにより、把手構造の外観が統一されるため、これを備える引出し等の家具は、前板または扉の前面と把手部とのコントラストが強調されるような意匠性を持つ。なお、このような把手構造に表面処理を行う場合は、その表面処理も同一とすることで上記効果が得られる。
【００１３】
また、本発明の把手構造では、露出部分が、金属光沢を有する金属材料、特にはステンレスであっても良い。金属光沢を有する材料を用いることで、本把手構造に金属のような質感を備えさせ、家具全体に重厚感を与えることができる。また、これに表面処理を行うことによって、把手構造の外観の印象をさらに変えていくこともできる。例えば、表面を乱反射させて光沢を抑える表面処理、いわゆるバイブレーション仕上げ等を施すことで、高級感があり、キズが目立ちにくくすることができる。また、コーティング処理として、例えばクリアコーティングを施すことで、汚れ、指紋等が容易に清掃することが可能となる。
【００１４】
また、本発明の引出しまたは扉用の把手構造では、連結部が、サイドエッジ部の上側端部と連続的につながっているものであっても良い。このような把手構造を備えた引出しを正面から見ると、上側に把手部が、下側に前板が見え、上下のコントラストを強調することができる。特に、引出しの場合は通常、人間が見下ろすことができる位置に配置されることが多く、この場合、把手部は上記のように引出しの上側に備えられている方が便利である。
【００１５】
また、本発明の引出しまたは扉用の把手構造では、把手部は、床面に対して平行で、かつ前板または扉の上端縁に沿って該上端縁と平行に延びるものであっても良い。このような把手構造を備えた引出しや家具を正面から見た場合、把手部による横ラインが強調される。通常、室内に備えられる各種の構造物は、床面に対して垂直な方向および平行な方向のラインを強調するものが多い。従って、把手部による横ラインも、これらに合わせて床面に対して平行となるようにすることで、室内に統一感を与えることが可能となる。また、把手部は、床面に対して傾斜して設けられるよりも平行に設けられていたほうが操作性に優れる。
【００１６】
本発明の引出しは、上記本発明の引出しまたは扉用の把手構造が固定された前記前板と、物を収納する引出し本体とを備えることを特徴とする。これにより、本発明の引出し用把手構造の各種効果を備えた引出しを形成することが可能となる。
【００１７】
本発明の収納ケースは、上記本発明の引出しと、該引出しを出し入れ可能に収納する収納部とを備えることを特徴とする。これにより、本発明の引出しの各種効果を備えた収納ケースを形成することが可能となる。また、本発明の収納ケースは、収納部の上側に形成される天板が、引出しの前板から、引出し方向に突出しているものであっても良い。
【００１８】
また、本発明の収納ケースは、引出しを複数備え、これらの引出しが横方向に連続して備えられることで、これらの引出しの把手部が一直線上に並んで配置されるものであっても良い。このような収納ケースを正面から見ると、横に並んだ引出しの把手部が一直線上に連続したラインに見えるため、収納ケース全体に統一感が生まれる。
【００１９】
また、本発明の収納ケースは、本発明の引出しまたは扉用の把手構造が固定される扉と、物を収納する収納スペースを構成し、前記扉によって外部と仕切られる収納部とを備えるものであっても良い。上記引出しに限らず、例えば上下スライドする扉や、上下方向において折りたたみ動作を行うことによって開閉される扉や、その他開き扉、引き扉等にも利用することができる。
【００２０】
また、本発明の収納ケースは、収納部の側面を構成する側面板と、天板と、引出しまたは扉用の把手構造とが、同一材料からなるものであっても良い。通常、収納部の天板と側面側板と、さらに収納ケースの把手構造とは、引出し全体のフレームとなる部分であり、それら板材の材料を同一とすることで、これらと引出しの前板や家具の扉とのコントラストを強調することができるとともに、収納ケース全体に統一感を与えることができる。また、これらの材料がステンレスなどの金属光沢を有する材料であれば、収納ケース全体に金属質感を与え、重厚感を持たせることも可能である。なお、表面処理を行う場合は、表面処理も同一とすることで、材料を同一とした場合と同様の効果を得ることができることができる。
【発明を実施するための最良の形態】
【００２１】
以下、本発明の実施例を図面を用いて説明する。図１は、本発明の第一実施例を示すものであり、収納家具の引出しの前板に本発明の把手構造を採用したときの外観図である。また、図２、図３、図４は、図１の把手構造の正面図、上面図、側面図を示している。これらの図に示す本発明の把手構造（引出しまたは扉用の把手構造）１０は、引出しの前板２０の両側端に設けられているサイドエッジ部２と、そのサイドエッジ部２の上側の端部で、図１の矢印が示す引出し方向側に突出した連結部３と、その２つの連結部３に両端が連結している把手部１とからなる。つまり、サイドエッジ部２と把手部１とが連続した一体構造を形成し、把手部１が前板２０の横幅方向一杯に端から端まで形成されていることを特徴とするものである。
【００２２】
把手部１は、引出しの前板２０の引出し方向（図１の矢印方向）側に備えられ、前板２０の横幅方向の端から端までをカバーするように備えられている。また、この把手部１は、前板２０と床面とに対して平行に形成されている。従来の突出タイプやくぼみタイプの把手では、把手が把手として認識されるような外観を有し、把手そのものが引出しの外観を損なう要因となっていたが、本発明の引出し把手構造では、図２に示すように、把手部１を正面から見ると把手部自身が形成する床面に対して水平な横ラインが強調された外観となり、把手部１が把手と認識されないような意匠性を備えることが可能となっている。
【００２３】
また、この把手部１は、前板２０に対して、図１の矢印が示す引出し方向側に突出して備えられており、このとき把手部１と前板２０との間には、図１、図３さらには図５に示されているような、一定幅を有し、上下方向に貫通する隙間が形成されている。なお、図５は、本発明の把手構造を備えた引出しを示す外観図である。図５に示すような引出し１００を開ける場合は、その隙間部分に手を挿入し、図５には表れていない把手部５の裏面側にその手を添え、引出し方向に引くことで、収納部１１０から引出し１００を出すことができる。本発明では、その把手部１が前板２０の横幅方向一杯に広がって形成されているため、把手部１のどの位置に手を掛けても引出しの開閉を行うことができる。例えば、キッチン等において、作業者が自身の立ち位置から遠い位置にある引出しを開閉する場合、通常、作業者はその引出しの把手に手が届く位置まで移動しなければ引出しの開閉ができないが、本発明では把手が引出しの横幅一杯に形成されているため、作業者は引出しの把手の近い側の端部に手を掛けることで引出しの開閉ができる。従って、引出しの開閉のために移動距離が少なくて済み、作業者の作業効率を増すことができる。また、把手部１は、前板２０との間に隙間があることでタオル掛けとしても利用されることが多く、本発明の把手構造では、把手部が引出しの前板の横幅方向に長く形成されているため、タオルをかける領域が広くなっている。
【００２４】
また、その把手部１の両端部は、図３に示すように、前板２０の方向に直角に曲げられた円弧状の角部１ａを形成している。この角部１ａには、滑らかに湾曲するようにアールが付けられた部分であり、その先端部、すなわち把手部１の両端部には、連結部３が連続して形成されており、さらにはその連結部３は前板２０の側面部をなすサイドエッジ部２に連続して形成されている。
【００２５】
このサイドエッジ部２は、引出しの前板２０の側端に密着するように形成され、前板２０のフレームの役割を果たす部分となる。このサイドエッジ部２には、図４に示すようなネジ穴（連結部）６が３箇所に形成されており、このネジ穴６にネジをねじ込むことにより、サイドエッジ部２と前板２０とが図１に示すように連結する。このとき、ネジのねじ込み方向は、前板２０の横幅方向となる。前板２０の横幅方向の厚さは十分にあるため、ネジをねじ込んだ際にネジの先端が板を貫通して外に現れるようなことはない。また、引出し１００の収納部にネジが突出することもない。
【００２６】
また、連結部３は、サイドエッジ部２の上端部から引出し方向側に突出する形で、該サイドエッジ部２から連続して形成されているとともに、サイドエッジ部２の逆側では、把手部１と連続するように形成されている。本発明の把手構造は、把手部１と連結部３とサイドエッジ部２とが連続しており、これらが一体構造をなしている。
【００２７】
なお、上記実施例の把手構造は、把手部１と連結部３とサイドエッジ部２とが一体構造をなすものであったが、本発明の把手構造はこれに限定されるものではなく、例えば、サイドエッジ部２と連結部３とが一体となった、把手部１とは異なるパーツ（サイドパーツ）として構成され、これに把手部１を組み付けて形成されるものであってもよい。この場合、このパーツを把手部１に対して後から溶接等で組み付けることで、両者が一体的な形態をなすように形成することができる。このとき、図８に示すように、連結部３と把手部１との区切れ目が表面に現れるが、表面処理を施すことでサイドエッジ部２と把手部１との切れ目を隠し、図４のように両者が切れ目無く一体的につながっているかのように見せることもできる。これにより、上記実施例と同様に、把手構造が１つの部材から形成されたかのような重厚度を醸しだすことができる。
【００２８】
なお、本発明における連結部とは、把手部１とサイドエッジ部との双方を連結するために、サイドエッジ部２から引出し方向に延びた部分のことであり、上記で述べているサイドエッジ部の連結部３だけでなく、把手部１の両端部の前板側に突出する部分までを含むものであっても良い。
【００２９】
また、本発明の扉または引出し用の把手構造は、引出しの前板の左右双方の側面にサイドエッジ部が備えられ、これが把手部と連結するように構成されているが、上記前板には、図１に示すように、サイドエッジ部２のほかに、その上下側の面にもフレームとなるべきエッジ部４，５を備えていても良く、また、これらエッジ部４，５も本発明の把手構造１０に含まれるものであっても良い。この場合、前板２０の全周がエッジ部に覆われた構造となり、この全周を囲うエッジ部に前板２０がはめ込まれることで、引出し１００の前板が形成されることとなる。
【００３０】
次に、引出し用把手構造１０に用いる材料について説明する。引出し用把手構造１０に用いる材料としては、例えばステンレスがあり、ステンレスのプレートを図のような形状に切削加工、または曲げ加工することで、把手部１と、連結部３を有するサイドエッジ部２とからなる本発明の把手構造１０を製作することができる。この場合、切削加工、曲げ加工のみでシンプルに製作することができるという利点を有する。
【００３１】
ところが、引出しのサイズが大きい場合には、その把手構造１０も大きくなり、その把手構造１０を含む引出し１００全体の重量が増す。引出しを設計する場合、引出しの重量が、引出しの収納部に設けられるレールの耐加重を上回る事が無いように、引出しを可能な限り軽量に設計することが望ましい。本実施例では、把手部１およびサイドエッジ部２にステンレスを用いているが、それら内部が中空状態となるパイプ形状のステンレス材を用いて構成しており、軽量化が図られている。
【００３２】
なお、このような場合は、上記連結部３を含むサイドエッジ部２と、把手部１とを別体で形成しておき、両者を後から連結して形成することにより、本把手構造を効率的に形成することができる。この場合、サイドエッジ部２は、連結部３を含んだサイドエッジ部２となる６つの面を、薄いステンレスの板材によってそれぞれ作成しておき、これらを溶接等で張り合わせて製作する、または、型を用いてサイドエッジ部２の５面となるステンレスの薄い溝構造を製作しておき、この溝構造に対して、別途製作した残り１面の板材でふたをする形となるように両者を溶接などで張り合わせる、等によって、内部を中空状態とするようなサイドエッジ部２（連結部３を含む）を製作することができる。また、把手部１に関してもサイドエッジ部２と同様の方法を用いて製作することが可能であるが、把手部１の場合は、別の方法として、予め用意した角パイプに対して曲げ加工を施して製作することも可能である。このように、内部を中空とするように材料を構成することは、軽量化だけでなく、材料コストの削減にもつながり有効である。
【００３３】
なお、本発明の把手構造１０は、上記のようにステンレスで形成されている必要は無いが、少なくとも全体が同じ材料で形成されていることが望ましい。これにより、引出し１００の外観に統一感が生まれる。また、材料がステンレス等の金属光沢を有するような材料であれは、引出し全体に金属質感を与えることができ、重厚感を与えることができる。さらに、把手構造１０に対して、各種表面処理が行われていても良い。例えば、把手構造１０がステンレスであれば、表面を乱反射させて光沢を抑える表面処理、いわゆるバイブレーション仕上げ等を施すことで、高級感があり、キズが目立ちにくくしても良く、また、コーティング処理、例えばクリアコーティングを施して、汚れ、指紋等が容易に清掃できるようにされていても良い。なお、材料が統一されていなくても、表面処理によって、把手構造１０全体の外観を統一して見せるようにしても良い。
【００３４】
本発明の引出し用把手構造は、これを用いた引出しとして構成することができるとともに、その引出しを収納部に出し入れ可能に収納する収納ケースとして構成することもできる。図５は、本発明の把手構造１０を用いた引出しを示す外観図である。
【００３５】
図５は、本発明の引出し用把手構造を備えた引出し１００が、収納部１１０に出し入れ可能に備えられている収納ケース１２０を示している。収納部１１０は、上面側に前板の引出し方向に突出した天板１１１と、側面側に側面板１１２とを備えており、また下面側にも下面板（符号なし）を備えて構成される。このとき、収納部１１０の内部には、引出し１００の出し入れ動作を容易とするレール（図示なし）等が備えられていることが望ましい。また、このような天板１１１を備えた収納ケース１２０は、例えば収納構造を有するキッチン台として利用することができ、この場合、天板上から水等の液体が下にこぼれるようなケースが考えられる。このとき、引出し１００が収納されている状態において、天板１１１が、前板２０の上側面を上側から覆うように、引出し方向（図５の矢印方向）に突出していれば、こぼれた液体が前板２０の上側面にかかり、さらにその液体が引出し１１０の収納スペースに入り込むことを防ぐことができる。
【００３６】
また、本発明の収納ケースは、把手部１と連結部３とサイドエッジ部２とからなる引出し用把手構造１０と、収納部１１０の上面側に備えられた天板１１１と、側面側に備えられた側面板１１２とが、同一の材料で形成されていることが望ましい。これにより、収納ケース１２０の外観に統一感が生まれ、そのデザイン性が向上する。またその材料として、ステンレス等の金属光沢を有するような材料を選択することで、収納ケース１２０全体に金属質感・重厚感を与えることができる。さらに、把手構造１０に対して、上記したような各種表面処理が行われていても良い。また、材料が統一されていなくても、表面処理によって、収納ケース１２０全体の外観を統一して見せるようにしても良い。なお、本実施例では、引出し用把手構造１０と収納部１１０の天板１１１と側面板１１２とがステンレスであるとともに、これらの表面には、チタン材のような風合を醸し出すバイブレーション仕上げが施され、さらにクリアコーティング処理が施されているものとする。
【００３７】
また、本発明の収納ケースの図５とは異なる実施例として、図６のように、本発明の引出し用収納部を複数並べて構成される収納ケースとして形成することもできる。図６では、図５の収納ケースが、横方向に連続して並べられたように構成され、それぞれの引出し１００が備える把手部１が横方向に一直線上に配置されている。これにより、複数の把手部１が形成する横ラインに特徴を有する収納ケース（収納家具）２００を形成することができる。図６に示された収納ケース２００の場合は、横に３個の引出し１００を備え、さらにそれらを縦に２段備えている。また、収納部の上面側には天板２１０を備え、下面には収納ケース２００全体を支持する脚部２２０が設けられている。図７は、その図６が示す収納ケース２００の正面から見た図である。引出し１００が図６のように配置されていることで、収納ケース２００は、図７に示すように、把手部１が一直線上に連なった横のラインが表れるとともに、引出し１００が２段備えられていることで、その横ラインは上下に２列表れる。これにより、収納ケース２００は、把手部１による２列の横ラインが強調された意匠性を持つ。
【００３８】
なお、本発明の複数の引出しおよび収納部を備えた収納ケースは、複数ある引出しの把手部の横ラインが、デザイン的に強調されるものであれば良く、必ずしも一直線上に把手部が並んでいる必要はない。収納ケースを正面から見た場合に、複数ある把手部の横ラインの配置に特徴を有するようなものであっても良い
【００３９】
また、横方向に複数配列する収納ケースに関して言えば、引出しではなく開き戸を有する収納ケースとして構成し、その扉に本発明の把手構造を用いることも考えられる。ところがこの場合、隣接する収納部の扉（前板）を開閉する場合に、扉の把手部が、隣接する収納部の把手部と接触し、開閉動作を妨げる場合がある。このような扉同士の干渉を防ぐためには、隣接する収納部の間に所定幅の隙間を設ければ良いが、無駄なスペースが生まれるとともに、把手部と把握部との間が広くなることで、把手部が一直線上に見えることを特徴とする収納ケースの意匠性を損なう可能性がある。本発明の把手構造は、特に引出しに特化した把手構造に限定することによって、引出しのデザイン設計に幅を持たせることを可能としたものである。ただし、収納部が横方向に連続しないもの、例えば、収納部が１個のものや、縦方向のみに配列されるもの、さらには収納部と収納部との間に所定の幅を有するものであれば、開き戸タイプの扉の把手構造としても適用可能である。
【００４０】
また、本発明の把手構造は、上記のような引出し用の把手構造だけでなく、図９および図１０に示すように、図の上下方向にスライド可能な扉を有する収納ケース（収納家具）にも使用することができる。以下、図９および図１０に示す収納ケース３００に本発明の把手構造を採用した場合を、本発明の第二実施例として説明する。図９の収納ケースは、上から順に上段収納部３１０、中段収納部３２０、下段収納部３３０の三段に分かれて構成されている。上段収納部３１０は、観音開き型の開き扉３１１、３１２を２枚有して構成されるとともに、中段および下段収納部３２０，３３０は、それぞれ上下方向に昇降する扉３２１，３３１を１枚ずつ有している。この中段および下段収納部３２０，３３０の扉３２１，３３１は、互いが連動して動くものであり、下段収納部の扉３３１を上昇させると、それに連れて中段収納部３２１の扉も連動して上昇スライドするが、この先行する中段収納部の扉３２１はゆっくり上昇し、下段収納部の扉３３１は早く上昇して、上限位置では、図１０に示すように下段収納部３３０の扉３３１が中段収納部３２０の扉３２１の前面にちょうど重なりあって、上側収納部３１０を覆い隠した状態となり、両収納部３２０，３３０の収納空間が露出する。なお、図１０の場合、中段収納部３２０は棚板を備えた収納部として、また、下段収納部３３０は引出し収納として構成されている。このとき、本発明の把手構造は、下段収納部３３０の扉３３１に形成される。図９および図１０では、把手構造の把手部３０１ａ，３０１ｂは、該扉３３０の上側と下側との双方に形成され、それぞれが扉３３０の側端面を覆うサイドエッジ部３０２の上端部および下段部と、連結部３０３ａ，３０３ｂを介して連続する構造となっている。このように、上下双方に把手部３０１ａ，３０１ｂが形成されていることで扉３２０，３３０の開閉が容易となっている。なお、図９および図１０の収納ケース３００は、比較的の高さのある収納ケースであり、上下に昇降するスライド扉３３０が上限位置にある場合であっても、把手部を掴むことができるように扉３３０の下側にも把手部３０１ｂが形成されているが、必ずしも上下双方に把手部を有する必要は無く、特に低い収納ケースであれば上下いずれか一方のみに把手部が形成されていてもよい。
【００４１】
また、本発明の把手構造は、図１１および図１２に示すような収納ケース（収納家具）にも使用することができる。以下、図１１および図１２に示す収納ケース４００に、本発明の把手構造を採用した場合を、本発明の第三実施例として説明する。図１１の収納ケース４００は、その前面に中央で折り曲げることが可能な扉４１０を有しており、扉４１０を開ける際には、図１２のように、その扉４１０が上側で折れ曲がった状態となるように扉を跳ね上げて、内部の収納スペースが露出する。この収納ケース４００の場合、扉の折り曲げ部分の下側の扉板４１０ｂに、把手部４０１ｂ，サイドエッジ部４０２ｂ，連結部４０３ｂが形成されており、本発明の把手構造が形成されている。なお、このとき、上側の扉板４１０ａにも、下側と同様のサイドエッジ部４０２ａを形成しておくことで収納ケース全体に統一感を与えることができる。
【００４２】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００４３】
【図１】本発明の把手構造を備えた引出しの前板の第一実施例を示す外観図。
【図２】図１の引出し用把手構造の正面図。
【図３】図１の引出し用把手構造の上面図。
【図４】図１の引出し用把手構造の側面図。
【図５】本発明の引出しを備えた収納ケースの一実施例を示す外観図。
【図６】図５とは異なる収納ケースの実施例を示す外観図。
【図７】図６の収納ケースの正面図。
【図８】サイドエッジ部と把手部とが組み付けによって形成された場合の、本発明の把手構造の側面図。
【図９】本発明の第二実施例である把手構造を備えた上下スライド扉を有する収納ケースを示す外観図。
【図１０】図９に示す収納ケースの扉の開状態を示す図。
【図１１】本発明の第二実施例である把手構造を備えた上下スライド扉を有する収納ケースを示す外観図。
【図１２】図１１に示す収納ケースの扉の開状態を示す図。
【符号の説明】
【００４４】
１      把手部
１ａ    角部（アール部）
２      サイドエッジ部
３      連結部
４      上面部
５      底面部
６      ネジ穴
１０    把手構造（引出しまたは扉用の把手構造）
２０    前板
１００  引出し
１１０  収納部
１２０，２００，３００，４００収納ケース  
【図１】
2005319131.tif 000003
【図２】
2005319131.tif 000004
【図３】
2005319131.tif 000005
【図４】
2005319131.tif 000006
【図５】
2005319131.tif 000007
【図６】
2005319131.tif 000008
【図７】
2005319131.tif 000009
【図８】
2005319131.tif 000010
【図９】
2005319131.tif 000011
【図１０】
2005319131.tif 000012
【図１１】
2005319131.tif 000013
【図１２】
2005319131.tif 000014